(57)【特許請求の範囲】
【請求項１】
無線ＬＡＮにおけるアップリンク（ＵＬ）マルチユーザ（ＭＵ）送信のための方法であって、
受信ＳＴＡ（ｓｔａｔｉｏｎ）が、複数のＳＴＡからの同時ＵＬ  ＭＵ送信を要求するためのＵＬ送信指示フレームを含む１つのダウンリンク（ＤＬ）  ＰＰＤＵ（ｐｈｙｓｉｃａｌ  ｌａｙｅｒ  ｐｒｏｔｏｃｏｌ  ｄａｔａ  ｕｎｉｔ）をＡＰ（ａｃｃｅｓｓ  ｐｏｉｎｔ）から受信するステップであって、
前記ＵＬ送信指示フレームは、識別情報とリソース割当情報とを含み、
前記識別情報は、前記複数のＳＴＡを識別する複数の識別子を含み、
前記リソース割当情報は、前記複数のＳＴＡに割り当てられた周波数リソースを示す、ステップと、
前記受信ＳＴＡが、前記受信ＳＴＡは前記識別情報によって示される前記複数のＳＴＡの一つであることを確認した場合、前記受信ＳＴＡが、前記受信ＳＴＡに割り当てられた周波数リソースを使用して、前記ＤＬ  ＰＰＤＵとＵＬ  ＰＰＤＵとの間のフレーム間スペースに従ってＵＬ  ＰＰＤＵを前記ＡＰへ送信するステップと、を含み、
前記フレーム間スペースはＳＩＦＳ（ｓｈｏｒｔ  ｉｎｔｅｒ  ｆｒａｍｅ  ｓｐａｃｅ）である、方法。
【請求項２】
前記ＵＬ送信指示フレームは、前記ＵＬ  ＰＰＤＵのために使用されるＭＣＳ（ｍｏｄｕｌａｔｉｏｎ  ａｎｄ  ｃｏｄｉｎｇ  ｓｃｈｅｍｅ）の情報及び／又はＵＬフレーム長さ情報をさらに含む、請求項１に記載の方法。
【請求項３】
前記受信ＳＴＡが、前記ＵＬ  ＰＰＤＵを確認するためのＡＣＫフレームを前記ＡＰから受信するステップをさらに含み、
前記ＵＬ  ＰＰＤＵと前記ＡＣＫフレームとの間のフレーム間スペースはＳＩＦＳである、請求項１に記載の方法。
【請求項４】
前記ＤＬ  ＰＰＤＵは、Ｌ−ＳＴＦ（ｌｅｇａｃｙ−ｓｈｏｒｔ  ｔｒａｉｎｉｎｇ  ｆｉｅｌｄ）、Ｌ−ＬＴＦ（ｌｅｇａｃｙ−ｌｏｎｇ  ｔｒａｉｎｉｎｇ  ｆｉｅｌｄ）、Ｌ−ＳＩＧ（ｌｅｇａｃｙ−ｓｉｇｎａｌ）、ＨＥ−ＳＩＧ  Ａ（ｈｉｇｈ  ｅｆｆｉｃｉｅｎｃｙ−ｓｉｇｎａｌ  Ａ）、ＨＥ−ＳＴＦ（ｈｉｇｈ  ｅｆｆｉｃｉｅｎｃｙ−ｓｈｏｒｔ  ｔｒａｉｎｉｎｇ  ｆｉｅｌｄ）、ＨＥ−ＬＴＦ（ｈｉｇｈ  ｅｆｆｉｃｉｅｎｃｙ−ｌｏｎｇ  ｔｒａｉｎｉｎｇ  ｆｉｅｌｄ）、及びデータフィールドを含む、請求項１に記載の方法。
【請求項５】
前記ＨＥ−ＬＴＦのＩＦＦＴ（逆高速フーリエ変換）の大きさは、前記Ｌ−ＬＴＦのＩＦＦＴの大きさより４倍大きい、請求項４に記載の方法。
【請求項６】
前記識別情報内の前記複数の識別子は、前記複数のＳＴＡのための複数のＡＩＤ（ａｓｓｏｃｉａｔｉｏｎ  ｉｄｅｎｔｉｆｉｅｒ）を示す、請求項１に記載の方法。
【請求項７】
無線ＬＡＮにおけるアップリンク（ＵＬ）マルチユーザ（ＭＵ）送信のための装置であって、
無線信号を送信及び受信するよう構成されたＲＦ（Ｒａｄｉｏ  Ｆｒｅｑｕｅｎｃｙ）部と、
前記ＲＦ部と動作可能に連結されたプロセッサを備え、
前記プロセッサは、
複数のＳＴＡ（ｓｔａｔｉｏｎ）からの同時ＵＬ  ＭＵ送信を要求するためのＵＬ送信指示フレームを含む１つのダウンリンク（ＤＬ）  ＰＰＤＵ（ｐｈｙｓｉｃａｌ  ｌａｙｅｒ  ｐｒｏｔｏｃｏｌ  ｄａｔａ  ｕｎｉｔ）をＡＰ（ａｃｃｅｓｓ  ｐｏｉｎｔ）から受信するために前記ＲＦ部を制御し、
前記ＵＬ送信指示フレームは、識別情報とリソース割当情報とを含み、
前記識別情報は、前記複数のＳＴＡを識別する複数の識別子を含み、
前記リソース割当情報は、前記複数のＳＴＡに割り当てられた周波数リソースを示し、
前記装置が、前記装置は前記識別情報によって示される前記複数のＳＴＡの一つであることを確認した場合、前記受信ＳＴＡに割り当てられた周波数リソースを使用して、前記ＤＬ  ＰＰＤＵとＵＬ  ＰＰＤＵとの間のフレーム間スペースに従って前記ＵＬ  ＰＰＤＵを前記ＡＰへ送信するために前記ＲＦ部を制御するよう構成され、
前記フレーム間スペースはＳＩＦＳ（ｓｈｏｒｔ  ｉｎｔｅｒ  ｆｒａｍｅ  ｓｐａｃｅ）である、装置。
【請求項８】
前記ＵＬ送信指示フレームは、前記ＵＬ  ＰＰＤＵのために使用されるＭＣＳ（ｍｏｄｕｌａｔｉｏｎ  ａｎｄ  ｃｏｄｉｎｇ  ｓｃｈｅｍｅ）の情報及び／又はＵＬフレーム長さ情報をさらに含む、請求項７に記載の装置。
【請求項９】
前記プロセッサは、前記ＵＬ  ＰＰＤＵを確認するためのＡＣＫフレームを前記ＡＰから受信するために前記ＲＦ部を制御するよう構成され、
前記ＵＬ  ＰＰＤＵと前記ＡＣＫフレームとの間のフレーム間スペースはＳＩＦＳである、請求項７に記載の装置。
【請求項１０】
前記ＤＬ  ＰＰＤＵは、Ｌ−ＳＴＦ（ｌｅｇａｃｙ−ｓｈｏｒｔ  ｔｒａｉｎｉｎｇ  ｆｉｅｌｄ）、Ｌ−ＬＴＦ（ｌｅｇａｃｙ−ｌｏｎｇ  ｔｒａｉｎｉｎｇ  ｆｉｅｌｄ）、Ｌ−ＳＩＧ（ｌｅｇａｃｙ−ｓｉｇｎａｌ）、ＨＥ−ＳＩＧ  Ａ（ｈｉｇｈ  ｅｆｆｉｃｉｅｎｃｙ−ｓｉｇｎａｌ  Ａ）、ＨＥ−ＳＴＦ（ｈｉｇｈ  ｅｆｆｉｃｉｅｎｃｙ−ｓｈｏｒｔ  ｔｒａｉｎｉｎｇ  ｆｉｅｌｄ）、ＨＥ−ＬＴＦ（ｈｉｇｈ  ｅｆｆｉｃｉｅｎｃｙ−ｌｏｎｇ  ｔｒａｉｎｉｎｇ  ｆｉｅｌｄ）、及びデータフィールドを含む、請求項７に記載の装置。
【請求項１１】
前記ＨＥ−ＬＴＦのＩＦＦＴ（逆高速フーリエ変換）の大きさは、前記Ｌ−ＬＴＦのＩＦＦＴの大きさより４倍大きい、請求項１０に記載の装置。
【請求項１２】
前記識別情報内の前記複数の識別子は、前記複数のＳＴＡのための複数のＡＩＤ（ａｓｓｏｃｉａｔｉｏｎ  ｉｄｅｎｔｉｆｉｅｒ）を示す、請求項７に記載の装置。
【発明の詳細な説明】
【技術分野】
【０００１】
本発明は、無線通信に関し、より詳しくは、無線ＬＡＮにおけるマルチユーザアップリンク受信方法及び装置に関する。
【背景技術】
【０００２】
無線ＬＡＮシステムにおいて、複数のＳＴＡ（ｓｔａｔｉｏｎ）が無線媒体を共有するための方法としてＤＣＦ（ｄｉｓｔｒｉｂｕｔｅｄ  ｃｏｏｒｄｉｎａｔｉｏｎ  ｆｕｎｃｔｉｏｎ）を使用することができる。ＤＣＦは、ＣＳＭＡ／ＣＡ（ｃａｒｒｉｅｒ  ｓｅｎｓｉｎｇ  ｍｕｌｔｉｐｌｅ  ａｃｃｅｓｓ  ｗｉｔｈ  ｃｏｌｌｉｓｉｏｎ  ａｖｏｉｄａｎｃｅ）に基づいている。
【０００３】
一般的に、ＤＣＦ接続環境下で動作する時、ＤＩＦＳ期間以上媒体が使用中でない場合（即ち、アイドル（ｉｄｌｅ）の場合）、ＳＴＡは、送信が間近に迫っているＭＰＤＵ（ＭＡＣ（ｍｅｄｉｕｍ  ａｃｃｅｓｓ  ｃｏｎｔｒｏｌ）ｐｒｏｔｏｃｏｌ  ｄａｔａ  ｕｎｉｔ）を送信することができる。媒体が搬送波検知メカニズム（ｃａｒｒｉｅｒ  ｓｅｎｓｉｎｇ  ｍｅｃｈａｎｉｓｍ）により使用中であると決定された場合、ＳＴＡは、ランダムバックオフアルゴリズム（ｒａｎｄｏｍ  ｂａｃｋｏｆｆ  ａｌｇｏｒｉｔｈｍ）によりＣＷ（ｃｏｎｔｅｎｔｉｏｎ  ｗｉｎｄｏｗ）のサイズを決定し、バックオフ手順を実行することができる。ＳＴＡは、バックオフ手順を実行するために、ＣＷ内のランダム値を選択し、選択されたランダム値に基づいてバックオフタイムを決定することができる。複数のＳＴＡが媒体に接続しようとする場合、複数のＳＴＡのうち、最も短いバックオフタイムを有するＳＴＡが媒体に接続することができ、残りのＳＴＡは、残ったバックオフタイムを中止し、媒体に接続したＳＴＡの送信が完了する時まで待機できる。媒体に接続したＳＴＡのフレーム送信が完了した後、残りのＳＴＡは、再び残ったバックオフタイムを有してコンテンションを実行して送信リソースを取得することができる。このような方式で既存の無線ＬＡＮシステムでは一つのＳＴＡが全体送信リソースを占有してＡＰと通信を実行した。
【発明の概要】
【発明が解決しようとする課題】
【０００４】
本発明の目的は、無線ＬＡＮにおけるマルチユーザアップリンク受信方法を提供することである。
【０００５】
本発明の他の目的は、無線ＬＡＮにおけるマルチユーザアップリンク受信方法を実行する装置を提供することである。
【課題を解決するための手段】
【０００６】
前述した本発明の目的を達成するための本発明の一側面による、無線ＬＡＮにおける複数のＳＴＡ（ｓｔａｔｉｏｎ）のアップリンク送信方法は、ＡＰ（ａｃｃｅｓｓ  ｐｏｉｎｔ）がダウンリンクＰＰＤＵ（ｐｈｙｓｉｃａｌ  ｌａｙｅｒ  ｐｒｏｔｏｃｏｌ  ｄｏｗｎｌｉｎｋ  ｕｎｉｔ）を重なる時間リソース上で前記複数のＳＴＡに送信するステップと、前記ＡＰが前記ダウンリンクＰＰＤＵに対する応答として前記複数のＳＴＡの各々に対するアップリンク送信リソースの各々を介して重なる時間リソース上で前記複数のＳＴＡの各々からアップリンクフレームの各々を受信するステップと、を含み、前記ダウンリンクＰＰＤＵは、ＳＴＡ識別子フィールド、リソース割当フィールド及びアップリンク送信ＴＸＯＰ（ｔｒａｎｓｍｉｓｓｉｏｎ  ｏｐｐｏｒｔｕｎｉｔｙ）デュレーションフィールドを含み、前記ＳＴＡ識別子フィールドは、前記複数のＳＴＡに対する情報を含み、前記リソース割当フィールドは、前記アップリンク送信リソースに対する情報を含み、前記アップリンク送信ＴＸＯＰデュレーションフィールドは、前記アップリンクフレームの各々の送信デュレーションを決定するための情報を含む。
【０００７】
前述した本発明の目的を達成するための本発明の他の側面による、無線ＬＡＮにおける複数のＳＴＡ（ｓｔａｔｉｏｎ）からアップリンクフレームの各々を受信するＡＰ（ａｃｃｅｓｓ  ｐｏｉｎｔ）は、無線信号を送信または受信するために実装されるＲＦ（ｒａｄｉｏ  ｆｒｅｑｕｅｎｃｙ）部と、前記ＲＦ部と動作可能に（ｏｐｅｒａｔｉｖｅｌｙ）連結されたプロセッサと、を含み、前記プロセッサは、ダウンリンクＰＰＤＵ（ｐｈｙｓｉｃａｌ  ｌａｙｅｒ  ｐｒｏｔｏｃｏｌ  ｄｏｗｎｌｉｎｋ  ｕｎｉｔ）を重なる時間リソース上で前記複数のＳＴＡに送信し、前記ダウンリンクＰＰＤＵに対する応答として前記複数のＳＴＡの各々に対するアップリンク送信リソースの各々を介して重なる時間リソース上で前記複数のＳＴＡの各々からアップリンクフレームの各々を受信するように実装され、前記ダウンリンクＰＰＤＵは、ＳＴＡ識別子フィールド、リソース割当フィールド及びアップリンク送信ＴＸＯＰ（ｔｒａｎｓｍｉｓｓｉｏｎ  ｏｐｐｏｒｔｕｎｉｔｙ）デュレーションフィールドを含み、前記ＳＴＡ識別子フィールドは、前記複数のＳＴＡに対する情報を含み、前記リソース割当フィールドは、前記アップリンク送信リソースの各々に対する情報を含み、前記アップリンク送信ＴＸＯＰデュレーションフィールドは、前記アップリンクフレームの各々の送信デュレーションを決定するための情報を含む。
【発明の効果】
【０００８】
ＡＰ（ａｃｃｅｓｓ  ｐｏｉｎｔ）は、複数の空間的ストリーム（ｓｐａｔｉａｌ  ｓｔｒｅａｍ）または複数の周波数リソースの各々を介して複数のＳＴＡの各々から同時に送信されるアップリンクデータを受信することができる。このような複数のＳＴＡによるアップリンク送信により無線リソース活用効率が向上することができる。
【図面の簡単な説明】
【０００９】
【図１】本発明の実施例に係るアップリンク送信指示フレームベースのＵＬ  ＭＵ送信を示す概念図である。
【図２】本発明の実施例に係るアップリンク送信指示フレームを示す概念図である。
【図３】本発明の実施例に係るＮＤＰＡベースのサウンディング手順でＵＬ  ＭＵ送信を示す概念図である。
【図４】本発明の実施例に係るＵＬ  ＭＵ送信方法を示す概念図である。
【図５】本発明の実施例に係るＵＬ  ＭＵ送信方法を示す概念図である。
【図６】本発明の実施例に係るＵＬ  ＭＵ送信方法を示す概念図である。
【図７】本発明の実施例に係るＵＬ  ＭＵ送信のためのダウンリンクＰＰＤＵフォーマットを示す概念図である。
【図８】本発明の実施例に係る無線通信システムを示すブロック図である。
【発明を実施するための形態】
【００１０】
無線ＬＡＮ（ｗｉｒｅｌｅｓｓ  ｌｏｃａｌ  ａｒｅａ  ｎｅｔｗｏｒｋ、ＷＬＡＮ）システムで動作するＡＰ（ａｃｃｅｓｓ  ｐｏｉｎｔ）は、複数のＳＴＡ（ｓｔａｔｉｏｎ）の各々に同じ時間リソースを介してデータを送信することができる。ＡＰからＳＴＡへの送信をダウンリンク送信といい、ＳＴＡからＡＰへの送信をアップリンク送信という場合、このようなＡＰの送信をＤＬ  ＭＵ送信（ｄｏｗｎｌｉｎｋ  ｍｕｌｔｉ−ｕｓｅｒ  ｔｒａｎｓｍｉｓｓｉｏｎ）という用語で表現できる。
【００１１】
それに対し、複数のＳＴＡが同じ時間リソース上でＡＰにデータを送信することをＵＬ  ＭＵ送信（ｕｐｌｉｎｋ  ｍｕｌｔｉ−ｕｓｅｒ  ｔｒａｎｓｍｉｓｓｉｏｎ）という用語で表現できる。現在の無線ＬＡＮシステムは、このようなＵＬ  ＭＵ送信をサポートしない。
【００１２】
現在の無線ＬＡＮシステムでは、下記のような制約事項によりＵＬ  ＭＵ送信をサポートすることができない。
【００１３】
現在の無線ＬＡＮシステムでは複数のＳＴＡから送信されるアップリンクデータの送信タイミングに対する同期化がサポートされない。例えば、既存の無線ＬＡＮシステムにおいて、複数のＳＴＡが同じ時間リソースを介してアップリンクデータを送信する場合を仮定することができる。現在の無線ＬＡＮシステムにおいて、複数のＳＴＡの各々は、他のＳＴＡのアップリンクデータの送信タイミングを知ることができない。したがって、ＡＰは、複数のＳＴＡの各々から同じ時間リソース上でアップリンクデータを受信しにくい。
【００１４】
また、現在の無線ＬＡＮシステムでは複数のＳＴＡによりアップリンクデータを送信するために使われる周波数リソース間の重複が発生されることができる。例えば、複数のＳＴＡの各々のオシレータ（ｏｓｃｉｌｌａｔｏｒ）が異なる場合、周波数オフセット（ｆｒｅｑｕｅｎｃｙ  ｏｆｆｓｅｔ）が異なるように示すことができる。もし、周波数オフセットが異なる複数のＳＴＡの各々が互いに異なる周波数リソースを介して同時にアップリンク送信を実行する場合、複数のＳＴＡの各々により使われる周波数領域のうち一部が重なることができる。
【００１５】
また、既存の無線ＬＡＮシステムでは複数のＳＴＡの各々に対するパワー制御が実行されない。複数のＳＴＡの各々とＡＰとの間の距離とチャネル環境に従属的に、ＡＰは、複数のＳＴＡの各々から互いに異なるパワーの信号を受信することができる。このような場合、弱いパワーで到着する信号は、強いパワーで到着する信号に比べて相対的にＡＰにより検出されにくい。
【００１６】
以下、本発明の実施例では複数のＳＴＡの各々がＡＰからダウンリンクフレームを受信した以後、受信したダウンリンクフレームに従属して複数のＳＴＡの各々がＡＰにアップリンクフレームを送信するＵＬ  ＭＵ送信方法に対して開示する。このようなＳＴＡのアップリンクフレーム送信方法は、ダウンリンク従属（ｄｏｗｎｌｉｎｋ  ｄｅｐｅｎｄｅｎｔ）ＵＬ  ＭＵ送信という用語で表現されることができる。即ち、ＡＰによるダウンリンクフレームの送信以後、他のＳＴＡがアップリンク送信のためのコンテンション（ｃｏｎｔｅｎｔｉｏｎ）を試みる以前に、ダウンリンクフレームに基づいて指示された複数のＳＴＡの各々がアップリンクフレームをＡＰに送信することができる。例えば、他のＳＴＡへの無線媒体割当を制限するために、ダウンリンクフレームに基づいて指示された複数のＳＴＡの各々は、ダウンリンクフレームを受信し、ＳＩＦＳ（ｓｈｏｒｔ  ｉｎｔｅｒ  ｆｒａｍｅ  ｓｐａｃｅ）後にアップリンクフレームをＡＰに送信することができる。または、ダウンリンクフレームに基づいて指示された複数のＳＴＡの各々に対して、アップリンク送信のための別途のＴＸＯＰ（ｔｒａｎｓｍｉｓｓｉｏｎ  ｏｐｐｏｒｔｕｎｉｔｙ）が設定されることもできる。
【００１７】
複数のＳＴＡの各々によるアップリンク送信は、周波数ドメインまたは空間ドメイン（ｓｐａｔｉａｌ  ｄｏｍａｉｎ）上で実行されることができる。
【００１８】
複数のＳＴＡの各々によるアップリンク送信が周波数ドメイン上で実行される場合、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）に基づいて複数のＳＴＡの各々に対して互いに異なる周波数リソースがアップリンク送信リソースとして割り当てられることができる。このような互いに異なる周波数リソースを介した送信方法は、ＵＬ  ＭＵ  ＯＦＤＭＡ送信方法という用語で表現されることができる。
【００１９】
複数のＳＴＡの各々によるアップリンク送信が空間ドメイン上で実行される場合、複数のＳＴＡの各々に対して互いに異なる空間的ストリームが割り当てられ、複数のＳＴＡの各々が互いに異なる空間的ストリームを介してアップリンクデータを送信することができる。このような互いに異なる空間的ストリームを介した送信方法は、ＵＬ  ＭＵ  ＭＩＭＯ送信方法という用語で表現されることもできる。
【００２０】
以下、ダウンリンク従属ＵＬ  ＭＵ送信方法に対して具体的に開示する。
【００２１】
図１は、本発明の実施例に係るアップリンク送信指示フレームベースのＵＬ  ＭＵ送信を示す概念図である。
【００２２】
図１を参照すると、複数のＳＴＡの各々は、ＡＰにより送信されるアップリンク送信指示フレーム１００に基づいてアップリンク送信を実行することができる。複数のＳＴＡの各々は、ＡＰからアップリンク送信指示フレーム１００を受信し、ＳＩＦＳ後にアップリンクデータフレーム１１０、１２０、１３０をＡＰに送信することができる。
【００２３】
本発明の実施例によると、複数のＳＴＡの各々から送信されるアップリンクフレームの送信を指示するためのアップリンク送信指示フレーム１００がＡＰから複数のＳＴＡの各々に送信されることができる。
【００２４】
アップリンク送信指示フレーム１００は、複数のＳＴＡの各々のアップリンクフレームの送信のための情報を含むことができる。例えば、アップリンク送信指示フレーム１００は、ＳＴＡ識別子フィールド、アップリンク送信ＴＸＯＰデュレーションフィールド及びリソース割当フィールドなどを含むことができる。
【００２５】
ＳＴＡ識別子フィールドは、アップリンクデータ送信を実行する複数のＳＴＡの各々を指示するための識別子に対する情報を含むことができる。
【００２６】
アップリンク送信ＴＸＯＰデュレーションフィールドは、複数のＳＴＡの各々により送信されるアップリンクデータフレームの送信のための時間リソースを決定するための情報を含むことができる。例えば、アップリンク送信ＴＸＯＰデュレーションフィールドは、複数のＳＴＡの各々により送信可能なアップリンクフレームの長さに対する情報（ビットまたはシンボル）及び／またはデータ送信レート（または、ＭＣＳ（ｍｏｄｕｌａｔｉｏｎ  ａｎｄ  ｃｏｄｉｎｇ  ｓｃｈｅｍｅ））に対する情報を含むことができる。または、アップリンク送信ＴＸＯＰデュレーションフィールドは、複数のＳＴＡの各々のアップリンク送信のために割り当てられたＴＸＯＰのデュレーション情報を含むことができる。複数のＳＴＡの各々は、アップリンク送信ＴＸＯＰデュレーションフィールドに基づいてアップリンク送信の終了タイミングを決定することもできる。アップリンク送信ＴＸＯＰデュレーションフィールドは、アップリンクフレームの長さに対する情報（ビットまたはシンボル）に対する情報のみを含む場合、アップリンクフレーム長さフィールドという用語で表現されることができる。
【００２７】
リソース割当フィールドは、複数のＳＴＡの各々に割り当てられるアップリンク送信リソース（周波数リソースまたは空間的ストリームリソース）に対する情報を含むことができる。
【００２８】
また、アップリンク送信指示フレーム１００は、複数のＳＴＡの各々にアップリンクフレームをＡＰに送信することを指示するアップリンク送信指示フィールドをさらに含むこともできる。
【００２９】
前記のようなフィールドは、複数のＳＴＡのアップリンク送信のためにアップリンク送信指示フレーム１００に含まれるフィールドに対する一つの例示である。具体的なアップリンク送信指示フレーム１００のフォーマットに対しては後述する。
【００３０】
複数のＳＴＡの各々は、アップリンク送信指示フレーム１００のリソース割当フィールドに基づいてＵＬ  ＭＵ  ＯＦＤＭＡ送信のための特定の周波数リソースまたはＵＬ  ＭＵ  ＭＩＭＯ送信のための空間的ストリームの割当を受けることができる。
【００３１】
具体的に、ＵＬ  ＭＵ  ＯＦＤＭＡ送信のために、複数のＳＴＡは、ＯＦＤＭＡに基づいて互いに異なる周波数リソースを介して同じ時間リソース上でアップリンク送信を実行することができる。このような場合、リソース割当フィールドは、複数のＳＴＡの各々に割り当てられる周波数リソースに対する情報を含むことができる。
【００３２】
または、ＵＬ  ＭＵ  ＭＩＭＯ送信のために、複数のＳＴＡは、複数の空間的ストリームのうち少なくとも一つに基づいて同じ時間リソース上でアップリンク送信を実行することができる。このような場合、リソース割当フィールドは、複数のＳＴＡの各々に割り当てられる空間的ストリームに対する情報を含むことができる。
【００３３】
具体的なアップリンク送信指示フレーム１００に基づいて複数のＳＴＡの各々のアップリンク送信は、下記の通りである。
【００３４】
図１の上段を参照すると、アップリンク送信指示フレーム１００を受信したＳＴＡ１乃至ＳＴＡ３の各々は、ＵＬ  ＭＵ  ＯＦＤＭＡに基づいて互いに異なる周波数リソースを介して同じ時間リソース上でアップリンク送信を実行することができる。ＳＴＡ１乃至ＳＴＡ３の各々は、アップリンク送信指示フレーム１００を受信した後、ＳＩＦＳ以後にアップリンクデータフレーム１１０、１２０、１３０を送信することができる。
【００３５】
ＳＴＡ１乃至ＳＴＡ３の各々は、アップリンク送信指示フレーム１００に含まれているＳＴＡ識別子フィールド及びリソース割当フィールドに基づいてアップリンク送信のための周波数リソースの割当を受けることができる。例えば、ＳＴＡ識別子フィールドに基づいてＳＴＡ１乃至ＳＴＡ３が順次に指示されることができる。また、リソース割当フィールドに基づいて、周波数リソース１  １１５、周波数リソース２  １２５、周波数リソース３  １３５が順次に指示されることができる。
【００３６】
このような場合、ＳＴＡ識別子フィールドに基づいて順次に指示されたＳＴＡ１乃至ＳＴＡ３の各々は、リソース割当フィールドに基づいて順次に指示された周波数リソース１  １１５、周波数リソース２  １２５、周波数リソース３  １３５の割当を受けることができる。即ち、ＳＴＡ１は周波数リソース１  １１５を介して、ＳＴＡ２は周波数リソース２  １２５を介して、ＳＴＡ３は周波数リソース３  １３５を介して、アップリンクデータフレーム１１０、１２０、１３０をＡＰに送信することができる。
【００３７】
図１の下段を参照すると、アップリンク送信指示フレーム１００を受信したＳＴＡ１乃至ＳＴＡ３の各々は、ＵＬ  ＭＵ  ＭＩＭＯに基づいて互いに異なる空間的ストリームを介して同じ時間リソース上でアップリンク送信を実行することができる。ＳＴＡ１乃至ＳＴＡ３の各々は、アップリンク送信指示フレーム１００を受信した後、ＳＩＦＳ以後にアップリンクデータフレーム１１０、１２０、１３０を送信することができる。
【００３８】
ＳＴＡ１乃至ＳＴＡ３の各々は、アップリンク送信指示フレーム１００に含まれているＳＴＡ識別子フィールド及びリソース割当フィールドに基づいてアップリンク送信のための空間的ストリームの割当を受けることができる。例えば、ＳＴＡ識別子フィールドに基づいてＳＴＡ１乃至ＳＴＡ３が順次に指示されることができる。また、リソース割当フィールドに基づいて、空間的ストリーム１  １５５、空間的ストリーム２  １６５、空間的ストリーム３  １７５が順次に指示されることができる。
【００３９】
このような場合、ＳＴＡ識別子フィールドに基づいて順次に指示されたＳＴＡ１乃至ＳＴＡ３の各々は、リソース割当フィールドに基づいて順次に指示された空間的ストリーム１  １５５、空間的ストリーム２  １６５、空間的ストリーム３  １７５の各々の割当を受けることができる。即ち、ＳＴＡ１は空間的ストリーム１  １５５を介して、ＳＴＡ２は空間的ストリーム２  １６５を介して、ＳＴＡ３は空間的ストリーム３  １７５を介して、アップリンクデータフレーム１１０、１２０、１３０をＡＰに送信することができる。
【００４０】
図１の上段及び図１の下段において、複数のＳＴＡの各々により送信されるアップリンクデータフレーム１１０、１２０、１３０の送信デュレーションは、アップリンク送信ＴＸＯＰデュレーションフィールドにより決定されることができる。他の表現として、複数のＳＴＡの各々により送信されるアップリンクデータフレーム１１０、１２０、１３０の送信終了時点は、アップリンク送信ＴＸＯＰデュレーションフィールドにより決定されることができる。複数のＳＴＡは、ビットパディング（ｐａｄｄｉｎｇ）または断片化（ｆｒａｇｍｅｎｔａｔｉｏｎ）を介してアップリンクデータフレーム（または、アップリンクデータフレームを伝達するアップリンクＰＰＤＵ（ｐｈｙｓｉｃａｌ  ｌａｙｅｒ  ｐｒｏｔｏｃｏｌ  ｄａｔａ  ｕｎｉｔ））の送信終了時間を送信ＴＸＯＰデュレーションフィールドに基づいて同期化することができる。
【００４１】
ＡＰは、複数のＳＴＡの各々から受信したアップリンクデータフレーム１１０、１２０、１３０に対する応答としてＡＣＫフレーム１５０を送信することができる。ＡＰは、複数のＳＴＡの各々からアップリンクデータフレーム１１０、１２０、１３０を受信し、ＳＩＦＳ以後にＡＣＫフレーム１５０を複数のＳＴＡの各々に送信することができる。
【００４２】
図１の上段を参照すると、ＡＰは、ＤＬ  ＭＵ  ＯＦＤＭＡ送信に基づいてＡＣＫフレーム１５０を複数のＳＴＡの各々に送信することができる。
【００４３】
ＳＴＡ１により周波数リソース１  １１５を介して送信されたアップリンクデータフレーム１  １１０に対するＡＣＫフレーム１５０は、周波数リソース１  １１５を介してＳＴＡ１に送信されることができる。ＳＴＡ２により周波数リソース２  １２５を介して送信されたアップリンクデータフレーム２  １２０に対するＡＣＫフレーム１５０は、周波数リソース２  １２５を介してＳＴＡ２に送信されることができる。ＳＴＡ３により周波数リソース３  １３５を介して送信されたアップリンクデータフレーム３  １３０に対するＡＣＫフレーム１５０は、周波数リソース３  １３５を介してＳＴＡ３に送信されることができる。
【００４４】
図１の下段を参照すると、ＡＰは、ＤＬ  ＭＵ  ＭＩＭＯ送信に基づいてＡＣＫフレーム１５０を複数のＳＴＡの各々に送信することができる。
【００４５】
ＳＴＡ１により空間的ストリーム１  １５５を介して送信されたアップリンクデータフレーム１に対するＡＣＫフレーム１５０は、空間的ストリーム１  １５５を介してＳＴＡ１に送信されることができる。ＳＴＡ２により空間的ストリーム２  １６５を介して送信されたアップリンクデータフレーム２  １２０に対するＡＣＫフレーム１５０は、空間的ストリーム２  １６５を介してＳＴＡ２に送信されることができる。ＳＴＡ３により空間的ストリーム３  １７５を介して送信されたアップリンクデータフレーム３  １３０に対するＡＣＫフレーム１５０は、空間的ストリーム３  １７５を介してＳＴＡ３に送信されることができる。
【００４６】
図１の上段と図１の下段の場合、ＡＰが複数のＳＴＡの各々により送信されたアップリンクデータフレーム１１０、１２０、１３０の受信に成功した場合を仮定する。ＡＰが複数のＳＴＡのうち一部のＳＴＡにより送信されたアップリンクデータフレームの受信に成功した場合、ＡＰは、受信に成功したアップリンクデータフレームに対するＡＣＫフレームのみを送信することができる。
【００４７】
図２は、本発明の実施例に係るアップリンク送信指示フレームを示す概念図である。
【００４８】
図２では、アップリンク送信指示フレームの構造及びアップリンク送信指示フレームに基づいている複数のＳＴＡの各々に対するリソース割当方式に対して開示する。
【００４９】
図２を参照すると、アップリンク送信指示フレームのＭＡＣヘッダは、ＳＴＡ識別子フィールド２００、アップリンク送信ＴＸＯＰデュレーションフィールド２２０、リソース割当フィールド２４０を含むことができる。
【００５０】
前述したように、ＳＴＡ識別子フィールド２００は、アップリンクデータ送信を実行する複数のＳＴＡの各々を指示するための識別子に対する情報を含むことができる。
【００５１】
アップリンク送信ＴＸＯＰデュレーションフィールド２２０は、複数のＳＴＡの各々により送信されるアップリンクデータフレームの送信のための時間リソースに対する情報を含むことができる。例えば、アップリンク送信ＴＸＯＰデュレーションフィールド２２０は、複数のＳＴＡの各々により送信可能なアップリンクフレームの長さに対する情報、データ送信レート（または、ＭＣＳ（ｍｏｄｕｌａｔｉｏｎ  ａｎｄ  ｃｏｄｉｎｇ  ｓｃｈｅｍｅ））に対する情報を含むことができる。または、アップリンク送信ＴＸＯＰデュレーションフィールド２２０は、複数のＳＴＡの各々のアップリンク送信のために割り当てられたＴＸＯＰのデュレーション情報を含むことができる。
【００５２】
リソース割当フィールド２４０は、複数のＳＴＡの各々に割り当てられるアップリンク送信リソース（周波数リソースまたは空間的ストリームリソース）に対する情報を含むことができる。
【００５３】
本発明の実施例によると、アップリンク送信指示フレームに含まれているＳＴＡ識別子フィールド２００とリソース割当フィールド２４０との間の対応関係に基づいて複数のＳＴＡの各々に対するアップリンク送信リソースが決定されることができる。
【００５４】
具体的に、ＳＴＡ識別子フィールド２００のための複数のビットは、下位ビットグループ単位で複数のＳＴＡの各々を指示することができる。ＳＴＡ識別子フィールド２００は１２ビットであり、１２ビットは３ビット単位の４個の下位ビットグループでグルーピングされることができる。４個の下位ビットグループの各々は、複数のＳＴＡの各々のＰＡＩＤ（ｐａｒｔｉａｌ  ａｓｓｏｃｉａｔｉｏｎ  ｉｄｅｎｔｉｆｉｅｒ）を指示することができる。下位ビットグループ１はＳＴＡ１の識別子を指示し、下位ビットグループ２はＳＴＡ２の識別子を指示し、下位ビットグループ３はＳＴＡ３の識別子を指示し、下位ビットグループ４はＳＴＡ４の識別子を指示することができる。
【００５５】
ＳＴＡ識別子フィールド２００に基づいて順次に指示された複数のＳＴＡの各々に対するアップリンク送信リソースは、リソース割当フィールド２４０に基づいて順次に指示されることができる。
【００５６】
例えば、リソース割当フィールド２４０は１２ビットであり、１２ビットは３ビット単位の下位ビットグループでグルーピングされ、各々のグルーピングされたビットが複数のＳＴＡの各々に対するアップリンク送信リソースを指示することができる。
【００５７】
複数のＳＴＡがＵＬ  ＭＵ  ＯＦＤＭＡ送信を実行する場合、リソース割当フィールド２４０の下位ビットグループ１はＳＴＡ１に対するアップリンク送信周波数リソース１を指示し、下位ビットグループ２はＳＴＡ２に対するアップリンク送信周波数リソース２を指示し、下位ビットグループ３はＳＴＡ３に対するアップリンク送信周波数リソース３を指示し、下位ビットグループ４はＳＴＡ４に対するアップリンク送信周波数リソース４を指示することができる。
【００５８】
複数のＳＴＡがＵＬ  ＭＵ  ＭＩＭＯ送信を実行する場合、リソース割当フィールド２４０の下位ビットグループ１はＳＴＡ１に対する空間的ストリーム１を指示し、下位ビットグループ２はＳＴＡ２に対する空間的ストリーム２を指示し、下位ビットグループ３はＳＴＡ３に対する空間的ストリーム３を指示し、下位ビットグループ４はＳＴＡ４に対する空間的ストリーム４を指示することができる。
【００５９】
図２ではＳＴＡ識別子フィールド２００とリソース割当フィールド２４０との間の対応関係に基づいて複数のＳＴＡの各々に対するアップリンク送信リソースが決定される方法に対して開示した。前記のような方法は、一つの例示に過ぎず、本発明の他の実施例によると、リソース割当フィールド２４０のみに基づいて複数のＳＴＡに対するアップリンク送信リソースを割り当てることもできる。
【００６０】
また、図２では複数のＳＴＡの各々のアップリンクフレームの送信のための情報がアップリンク送信指示フレームのＭＡＣヘッダに含まれると仮定した。しかし、アップリンクフレームの送信のための情報のうち少なくとも一つは、ＰＨＹヘッダまたはＭＳＤＵ（ＭＡＣ  ｓｅｒｖｉｃｅ  ｄａｔａ  ｕｎｉｔ）に含まれることもできる。後述する図７で複数のＳＴＡの各々のアップリンクフレームの送信のための情報がＰＨＹヘッダに含まれる場合に対して開示する。
【００６１】
図３は、本発明の実施例に係るＮＤＰＡベースのサウンディング手順でＵＬ  ＭＵ送信を示す概念図である。
【００６２】
図３では、ＮＤＰＡ（ｎｕｌｌ  ｄａｔａ  ｐａｃｋｅｔ  ａｎｎｏｕｎｃｅｍｅｎｔ）フレーム３００に基づいているサウンディング手順で複数のＳＴＡのアップリンクフィードバック方法が開示される。
【００６３】
図３を参照すると、ＡＰは、フィードバックのためのサウンディングシグナルの送信を知らせるＮＤＰＡフレーム３００をＳＴＡ１乃至ＳＴＡ３に送信することができる。ＡＰは、ＮＤＰＡフレーム３００の送信以後、ＳＩＦＳ時間後にＮＤＰ３２０を送信することができる。ＮＤＰＡフレーム３００及びＮＤＰ３２０は、ＡＰによりＡＰはＤＬ  ＭＵ送信されることができる。
【００６４】
ＳＴＡ１乃至ＳＴＡ３は、受信したＮＤＰ３２０に基づいてチャネルを推定した後、フィードバック情報をＡＰに送信することができる。このとき、ＳＴＡ１乃至ＳＴＡ３は、フィードバック情報をＵＬ  ＭＵ送信することができる。
【００６５】
本発明の実施例によると、ＡＰにより送信されるＮＤＰＡフレーム３００は、ＳＴＡのＵＬ  ＭＵ送信のためのリソース割当情報をさらに含むことができる。
【００６６】
以下の表１は、ＮＤＰＡフレーム３００に含まれるフィールドを示す。
【００６７】
【表１】
0006262852.tif 000002
【００６８】
ＮＤＰＡフレーム３００にはＵＬ  ＭＵ送信のためのリソース割当フィールドが追加されることができる。
【００６９】
ｎ個のＳＴＡ情報フィールドの各々に含まれるＡＩＤは、ＮＤＰＡサウンディング手順の対象となる複数のＳＴＡの各々を指示することができる。
【００７０】
リソース割当フィールドは、ＳＴＡ情報フィールドの各々に含まれるＡＩＤに基づいて指示される複数のＳＴＡの各々と順次に連係されて複数のＳＴＡの各々に割り当てられるアップリンク送信リソースを指示することができる。前述したように、リソース割当フィールドの全体ビットは、下位ビットグループでグルーピングされることができる。グルーピングされた下位ビットグループの各々は、順次にｎ個のＳＴＡ情報フィールド（ＳＴＡ情報１フィールド、…、ＳＴＡ情報ｎフィールド）の各々に対応されるＳＴＡに対するアップリンク送信リソースを指示することができる。
【００７１】
ＵＬ  ＭＵ  ＭＩＭＯ送信の場合、ｎ個のＳＴＡ情報フィールド及びリソース割当フィールドに基づいて複数のＳＴＡの各々に割り当てられる空間的ストリームが指示されることができる。
【００７２】
ＵＬ  ＭＵ  ＯＦＤＭＡ送信の場合、ｎ個のＳＴＡ情報フィールド及びリソース割当フィールドに基づいて複数のＳＴＡの各々に割り当てられる周波数リソースが指示されることができる。
【００７３】
このような方式で複数のＳＴＡ（例えば、ＳＴＡ１乃至ＳＴＡ３）は、ＮＤＰＡフレーム３００に基づいてアップリンク送信リソースの割当を受けることができる。複数のＳＴＡは、割当を受けたアップリンク送信リソースを介してフィードバック情報として圧縮されたビーム形成フレーム３４０をＡＰに送信することができる。
【００７４】
図３を再び参照すると、ＡＰは、多様な送信方法（ＤＬ  ＭＵ  ＭＩＭＯ、ＤＬ  ＭＵ  ＯＦＤＭＡ等）を介してＮＤＰＡフレーム３００及びＮＤＰ３２０をＳＴＡ１乃至ＳＴＡ３に送信することができる。ＳＴＡ１乃至ＳＴＡ３の各々は、受信したＮＤＰＡフレーム３００のｎ個のＳＴＡ情報フィールド及びリソース割当フィールドに基づいて、圧縮されたビーム形成フレームを送信する空間的ストリームに対する情報を取得することができる。
【００７５】
ＮＤＰＡフレーム３００のＳＴＡ情報１〜ｎフィールドが順次にＳＴＡ１、ＳＴＡ２及びＳＴＡ３を指示し、リソース割当フィールドが順次に空間的ストリーム１、空間的ストリーム２及び空間的ストリーム３を指示することができる。このような場合、ＳＴＡ１に空間的ストリーム１が割り当てられ、ＳＴＡ２に空間的ストリーム２が割り当てられ、ＳＴＡ３に空間的ストリーム３が割り当てられることができる。ＳＴＡ１は空間的ストリーム１を介して、ＳＴＡ２は空間的ストリーム２を介して、ＳＴＡ３は空間的ストリーム３を介して、圧縮されたビーム形成フレーム３４０をＡＰに送信することができる。
【００７６】
他の例として、ＡＰは、多様な送信方法（ＤＬ  ＭＵ  ＭＩＭＯ、ＤＬ  ＭＵ  ＯＦＤＭＡ等）を介してＮＤＰＡフレーム３００及びＮＤＰ３２０をＳＴＡ１乃至ＳＴＡ３に送信することができる。ＳＴＡ１乃至ＳＴＡ３の各々は、受信したＮＤＰＡフレーム３００のｎ個のＳＴＡ情報フィールド及びリソース割当フィールドに基づいて、圧縮されたビーム形成フレーム３４０を送信する周波数リソースに対する情報を取得することができる。
【００７７】
ＮＤＰＡフレーム３２０のＳＴＡ情報１〜ｎフィールドが順次にＳＴＡ１、ＳＴＡ２及びＳＴＡ３を指示し、リソース割当フィールドが順次に周波数リソース１、周波数リソース２及び周波数リソース３を指示することができる。このような場合、ＳＴＡ１に周波数リソース１が割り当てられ、ＳＴＡ２に周波数リソース２が割り当てられ、ＳＴＡ３に周波数リソース３が割り当てられることができる。ＳＴＡ１は周波数リソース１を介して、ＳＴＡ２は周波数リソース２を介して、ＳＴＡ３は周波数リソース３を介して、圧縮されたビーム形成フレーム３４０をＡＰに送信することができる。圧縮されたビーム形成フレームは、割り当てられたアップリンク送信リソースに対する通信状態情報（ＳＮＲ）、ビーム形成のためのビーム形成フィードバック行列（ｂｅａｍｆｏｒｍｉｎｇ  ｆｅｅｄｂａｃｋ  ｍａｔｒｉｘ）を含むことができる。
【００７８】
図４は、本発明の実施例に係るＵＬ  ＭＵ送信方法を示す概念図である。
【００７９】
図４では、ＡＰがＤＬ  ＭＵ送信に基づいてダウンリンクフレームを送信し、複数のＳＴＡがＵＬ  ＭＵ送信に基づいてダウンリンクフレームに対する応答フレームを送信する方法に対して開示する。
【００８０】
図４を参照すると、ＡＰは、ＤＬ  ＭＵ送信を介してダウンリンクフレーム（または、ダウンリンクＰＰＤＵ）４００を複数のＳＴＡに送信することができる。ＡＰは、ＤＬ  ＭＵ  ＭＩＭＯまたはＤＬ  ＭＵ  ＯＦＤＭＡに基づいてＳＴＡにダウンリンクフレーム（または、ダウンリンクＰＰＤＵ）４００を送信することができる。
【００８１】
ＡＰは、ダウンリンクフレームのＭＡＣヘッダ及び／またはダウンリンクフレームを伝達するＰＰＤＵのＰＨＹヘッダを介して、ＳＴＡのアップリンク送信のためのリソースを割り当てることができる。ＰＨＹヘッダは、ＰＬＣＰ（ｐｈｙｓｉｃａｌ  ｌａｙｅｒ  ｃｏｎｖｅｒｇｅｎｃｅ  ｐｒｏｃｅｄｕｒｅ）プリアンブル、ＰＣＬＰヘッダを含む概念として使われることができる。
【００８２】
例えば、ＳＴＡ識別子フィールド及びリソース割当フィールドは、ダウンリンクＰＰＤＵのＰＨＹヘッダに含まれ、アップリンク送信ＴＸＯＰデュレーションフィールドは、ダウンリンクＰＰＤＵに含まれるダウンリンクフレームのＭＡＣヘッダに含まれることもできる。
【００８３】
以下、説明の便宜上、ダウンリンクフレームを伝達するダウンリンクＰＰＤＵのＰＨＹヘッダを介して、ＳＴＡ識別子フィールド、リソース割当フィールド及びアップリンク送信ＴＸＯＰデュレーションフィールドが全て送信される場合を仮定して説明する。
【００８４】
ＳＴＡは、ＡＰからダウンリンクＰＰＤＵ４００を受信し、受信したダウンリンクＰＰＤＵ４００のＰＨＹヘッダに基づいてアップリンク送信のためのアップリンクリソースの割当を受けることができる。ダウンリンクＰＰＤＵ４００のＰＨＹヘッダは、複数のＳＴＡの各々のアップリンクフレームの送信のための情報を含むことができる。例えば、ＰＨＹヘッダのシグナリング（ＳＩＧ）フィールドは、下位フィールドとしてＳＴＡ識別子フィールド、アップリンク送信ＴＸＯＰデュレーションフィールド及びリソース割当フィールドなどを含むことができる。ダウンリンクＰＰＤＵ４００のフォーマットに対しては具体的に後述する。
【００８５】
複数のＳＴＡの各々は、ダウンリンクＰＰＤＵ４００に基づいて割当を受けたアップリンクリソースを介してアップリンク応答フレーム４１０、４２０、４３０を送信することができる。複数のＳＴＡは、ＡＰからダウンリンクＰＰＤＵ４００を受信し、ＳＩＦＳ以後に割当を受けたアップリンクリソースを介してアップリンクフレーム（または、アップリンクＰＰＤＵ）４１０、４２０、４３０をＡＰに送信することができる。このような方式で複数のＳＴＡの各々により送信されるアップリンクフレーム（または、アップリンクＰＰＤＵ）４１０、４２０、４３０の送信開始時間が同期化されることができる。また、複数のＳＴＡは、ＰＨＹヘッダに含まれているアップリンク送信ＴＸＯＰデュレーションフィールドに基づいてアップリンクフレーム（または、アップリンクＰＰＤＵ）４１０、４２０、４３０の送信終了時間を決定することができる。
【００８６】
ＡＰは、ＤＬ  ＭＵ送信を介してダウンリンクＰＰＤＵ４００をＳＴＡ１、ＳＴＡ２及びＳＴＡ３に送信することができる。ＡＰは、ダウンリンクＰＰＤＵ４００のＰＨＹヘッダに基づいて、ＳＴＡ１に周波数リソース１を、ＳＴＡ２に周波数リソース２を、ＳＴＡ３に周波数リソース３を、アップリンク送信リソースとして割り当てることができる。このような場合、共通の時間リソース上で、ＳＴＡ１は周波数リソース１を介してアップリンクフレーム１  ４１０を、ＳＴＡ２は周波数リソース２を介してアップリンクフレーム２  ４２０を、ＳＴＡ３は周波数リソース３を介してアップリンクフレーム３  ４３０を、ＡＰに送信することができる。
【００８７】
または、ＡＰは、ＤＬ  ＭＵ送信を介してダウンリンクＰＰＤＵ４００をＳＴＡ１、ＳＴＡ２及びＳＴＡ３に送信することができる。ＡＰは、ダウンリンクＰＰＤＵ４００のＰＨＹヘッダに基づいて、ＳＴＡ１に空間的ストリーム１を、ＳＴＡ２に空間的ストリーム２を、ＳＴＡ３に空間的ストリーム３を、アップリンク送信リソースとして割り当てることができる。このような場合、共通の時間リソース上で、ＳＴＡ１は空間的ストリーム１  ４１０を介してアップリンクフレーム１を、ＳＴＡ２は空間的ストリーム２  ４２０を介してアップリンクフレーム２を、ＳＴＡ３は空間的ストリーム３  ４３０を介してアップリンクフレーム３を、ＡＰに送信することができる。
【００８８】
図５は、本発明の実施例に係るＵＬ  ＭＵ送信方法を示す概念図である。
【００８９】
図５では、ＡＰがＤＬ  ＭＵ  ＭＩＭＯ送信に基づいてダウンリンクフレーム（または、ダウンリンクＰＰＤＵ）５００を複数のＳＴＡに送信し、複数のＳＴＡがＵＬ  ＭＵ送信に基づいてダウンリンクフレーム（または、ダウンリンクＰＰＤＵ）５００に対するＡＣＫフレーム５５０を送信する方法に対して開示する。図５では、ダウンリンクＰＰＤＵ５００のＰＨＹヘッダを介してＳＴＡのアップリンク送信のためのリソースを割り当てる場合を仮定して説明する。
【００９０】
ＤＬ  ＭＵ  ＭＩＭＯ方式でダウンリンクＰＰＤＵ５００が送信される場合、既存の無線ＬＡＮシステムでは、各ＳＴＡ毎に順次にＢＡ（Ｂｌｏｃｋ  ＡＣＫ）フレームをＡＰに送信した。
【００９１】
本発明の実施例に係るＵＬ  ＭＵ送信が実行される場合、複数のＳＴＡは、同じ時間リソース上でダウンリンクＰＰＤＵ５００に対するＡＣＫフレーム（または、ブロックＡＣＫフレーム）５５０をＡＰに送信することができる。
【００９２】
具体的に、ブロックＡＣＫセッションを設定する過程では、送信側（例えば、ＡＰ）と受信側（例えば、ＳＴＡ１、ＳＴＡ２、ＳＴＡ３）は、ＡＤＤＢＡ要求フレームとＡＤＤＢＡ応答フレームの各々を送信及び受信することができる。具体的に、送信側の管理フレームであるＡＤＤＢＡ要求フレームを受信側に送信することができる。ＡＤＤＢＡ要求フレームは、現在ＴＩＤに対するブロックＡＣＫ同意を要求することができる。ＡＤＤＢＡ要求フレームは、ブロックＡＣＫポリシーの種類、送信側の送信バッファサイズ、ブロックＡＣＫセッションのタイムアウト値、ＳＳＮ（ｓｔａｒｔｉｎｇ  ｓｅｑｕｅｎｃｅ  ｎｕｍｂｅｒ）などに対する情報を受信側に送信することができる。ＡＤＤＢＡ要求フレームを受信した受信側は、ＡＤＤＢＡ要求フレームに対する応答としてＡＤＤＢＡ応答フレームを送信側に送信することができる。ＡＤＤＢＡ応答フレームは、ブロックＡＣＫ同意状態、ＡＣＫポリシー、バッファサイズ、タイムアウト値を含むことができる。
【００９３】
本発明の実施例によると、ＡＰは、ブロックＡＣＫ動作を設定時、ＡＤＤＢＡ要求フレームを介してブロックＡＣＫのＵＬ  ＭＵ送信を指示することもできる。このような場合、複数のＳＴＡは、ダウンリンクＰＰＤＵ５００のＰＨＹヘッダに含まれている複数のＳＴＡの各々のアップリンクフレームの送信のための情報に基づいてブロックＡＣＫをＡＰにＵＬ  ＭＵ送信することができる。
【００９４】
図６は、本発明の実施例に係るＵＬ  ＭＵ送信方法を示す概念図である。
【００９５】
図６では、ダウンリンクフレーム（または、ダウンリンクＰＰＤＵ）６００を介してアップリンク送信が指示される場合、ダウンリンクフレーム６００に対する応答フレームだけでなく、アップリンクデータフレームが複数のＳＴＡによりＵＬ  ＭＵ送信されることができる。図６では、ダウンリンクＰＰＤＵ６００のＰＨＹヘッダを介してＳＴＡのアップリンク送信のためのリソースを割り当てる場合を仮定して説明する。
【００９６】
ＡＰにより送信されるダウンリンクＰＰＤＵ６００は、アップリンク送信指示子を含むことができる。アップリンク送信指示子は、複数のＳＴＡによるアップリンクデータフレームの送信を誘導することができる。また、ダウンリンクＰＰＤＵ６００は、複数のＳＴＡのアップリンク送信リソースの割当のための情報（例えば、ＳＴＡ識別子フィールド、アップリンク送信ＴＸＯＰデュレーションフィールド及びリソース割当フィールド等）を含むことができる。
【００９７】
ＳＴＡは、ダウンリンクＰＰＤＵ６００に対する応答フレーム及びアップリンクデータフレーム６２０をＡＰに送信することができる。ＳＴＡは、ダウンリンクＰＰＤＵ６００に対する応答フレーム及びアップリンクデータフレーム６２０を送信するために多様な送信方法を使用することができる。例えば、ＳＴＡにより送信される応答フレームに、アップリンクデータフレームに含まれるアップリンクデータがピギーバック（ｐｉｇｇｙ−ｂａｃｋ）されることができる。または、応答フレームを送信し、ＳＩＦＳ以後にデータフレームをＡＰに送信することもできる。
【００９８】
ＡＰにより送信されるダウンリンクＰＰＤＵ６００のアップリンク送信ＴＸＯＰデュレーションフィールドは、応答フレーム及びアップリンクデータフレーム６２０の送信のためのアップリンクＴＸＯＰのデュレーションに対する情報が含まれることができる。
【００９９】
ＡＰは、複数のＳＴＡから受信したアップリンクデータに対するＡＣＫフレームを送信することができる。
【０１００】
図７は、本発明の実施例に係るＵＬ  ＭＵ送信のためのダウンリンクＰＰＤＵフォーマットを示す概念図である。
【０１０１】
図７では、例えば、ＵＬ  ＭＵ送信のためのダウンリンクＰＰＤＵのＰＨＹヘッダは、複数のＳＴＡのＵＬ  ＭＵ送信のための情報（例えば、ＳＴＡ識別子フィールド、アップリンク送信ＴＸＯＰデュレーションフィールド及びリソース割当フィールド）を含むことができる。
【０１０２】
図７の上段を参照すると、ダウンリンクＰＰＤＵのＰＨＹヘッダは、Ｌ−ＳＴＦ（ｌｅｇａｃｙ−ｓｈｏｒｔ  ｔｒａｉｎｉｎｇ  ｆｉｅｌｄ）、Ｌ−ＬＴＦ（ｌｅｇａｃｙ−ｌｏｎｇ  ｔｒａｉｎｉｎｇ  ｆｉｅｌｄ）、Ｌ−ＳＩＧ（ｌｅｇａｃｙ−ｓｉｇｎａｌ）、ＨＥ−ＳＩＧ  Ａ（ｈｉｇｈ  ｅｆｆｉｃｉｅｎｃｙ−ｓｉｇｎａｌ  Ａ）、ＨＥ−ＳＴＦ（ｈｉｇｈ  ｅｆｆｉｃｉｅｎｃｙ−ｓｈｏｒｔ  ｔｒａｉｎｉｎｇ  ｆｉｅｌｄ）、ＨＥ−ＬＴＦ（ｈｉｇｈ  ｅｆｆｉｃｉｅｎｃｙ−ｌｏｎｇ  ｔｒａｉｎｉｎｇ  ｆｉｅｌｄ）、ＨＥ−ＳＩＧ  Ｂ（ｈｉｇｈ  ｅｆｆｉｃｉｅｎｃｙ−ｓｉｇｎａｌ−Ｂ）を含むことができる。ＰＨＹヘッダにおいて、Ｌ−ＳＩＧまでのレガシ部分（ｌｅｇａｃｙ  ｐａｒｔ）と、Ｌ−ＳＩＧ以後のＨＥ（ｈｉｇｈ  ｅｆｆｉｃｉｅｎｃｙ）部分（ＨＥ  ｐａｒｔ）と、に区分されることができる。
【０１０３】
Ｌ−ＳＴＦ３００は、短いトレーニングＯＦＤＭシンボル（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＳＴＦ３００は、フレーム探知（ｆｒａｍｅ  ｄｅｔｅｃｔｉｏｎ）、ＡＧＣ（ａｕｔｏｍａｔｉｃ  ｇａｉｎ  ｃｏｎｔｒｏｌ）、ダイバーシティ探知（ｄｉｖｅｒｓｉｔｙ  ｄｅｔｅｃｔｉｏｎ）、コース周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使われることができる。
【０１０４】
Ｌ−ＬＴＦ３２０は、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＬＴＦ３２０は、ファイン周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル予測のために使われることができる。
【０１０５】
Ｌ−ＳＩＧ３４０は、制御情報を送信するために使われることができる。Ｌ−ＳＩＧ３４０は、データ送信率（ｒａｔｅ）、データ長さ（ｌｅｎｇｔｈ）に対する情報を含むことができる。
【０１０６】
本発明の実施例によると、ＨＥ−ＳＩＧ  Ａ７３０は、複数のＳＴＡのＵＬ  ＭＵ送信のための情報を含むことができる。ＨＥ−ＳＩＧ  Ａ７３０は、ＳＴＡ識別子フィールド、アップリンク送信ＴＸＯＰデュレーションフィールド及びリソース割当フィールドを下位フィールドとして含むことができる。
【０１０７】
前述したように、ＳＴＡ識別子フィールドは、アップリンクデータ送信を実行する複数のＳＴＡの各々を指示するための識別子に対する情報を含むことができる。
【０１０８】
リソース割当フィールドは、複数のＳＴＡの各々に割り当てられるアップリンク送信リソース（周波数リソースまたは空間的ストリームリソース）に対する情報を含むことができる。
【０１０９】
ＳＴＡ識別子フィールドに基づいて順次に指示された複数のＳＴＡの各々に対するアップリンク送信リソースは、リソース割当フィールドに基づいて順次に指示されることができる。
【０１１０】
アップリンク送信ＴＸＯＰデュレーションフィールドは、複数のＳＴＡの各々により送信されるアップリンクフレーム（または、アップリンクＰＰＤＵ）の送信のための時間リソースに対する情報を含むことができる。アップリンク送信ＴＸＯＰデュレーションフィールドは、ダウンリンクＰＰＤＵに含まれるダウンリンクフレームのＭＡＣヘッダに含まれることもできる。
【０１１１】
また、ＨＥ−ＳＩＧ−Ａ７３０は、ＡＰによる複数のＳＴＡに対するＤＬ  ＭＵ送信のための情報も含むことができる。例えば、ＨＥ−ＳＩＧ−Ａ７３０は、ダウンリンクＰＰＤＵを受信するＳＴＡの識別子に対する情報、ダウンリンクＰＰＤＵを受信するためのダウンリンクリソースに対する情報及びダウンリンクＰＰＤＵの送信デュレーションに対する情報などを含むことができる。
【０１１２】
ＨＥ−ＳＴＦ７４０は、ＭＩＭＯ環境またはＯＦＤＭＡ環境で自動利得制御推定（ａｕｔｏｍａｔｉｃ  ｇａｉｎ  ｃｏｎｔｒｏｌ  ｅｓｔｉｍａｔｉｏｎ）を向上させるために使われることができる。
【０１１３】
ＨＥ−ＬＴＦ７５０は、ＭＩＭＯ環境またはＯＦＤＭＡ環境でチャネルを推定するために使われることができる。
【０１１４】
ＨＥ−ＳＩＧ  Ｂ７６０は、各ＳＴＡに対するＰＳＤＵ（Ｐｈｙｓｉｃａｌ  ｌａｙｅｒ  ｓｅｒｖｉｃｅ  ｄａｔａ  ｕｎｉｔ）の長さ、ＭＣＳ（ｍｏｄｕｌａｔｉｏｎ  ａｎｄ  ｃｏｄｉｎｇ  ｓｃｈｅｍｅ）に対する情報及びテールビットなどを含むことができる。
【０１１５】
ＨＥ−ＳＴＦ７４０及びＨＥ−ＳＴＦ７４０以後のフィールドに適用されるＩＦＦＴの大きさと、ＨＥ−ＳＴＦ７４０以前のフィールドに適用されるＩＦＦＴの大きさは、互いに異なる。例えば、ＨＥ−ＳＴＦ７４０及びＨＥ−ＳＴＦ７４０以後のフィールドに適用されるＩＦＦＴの大きさは、ＨＥ−ＳＴＦ７４０以前のフィールドに適用されるＩＦＦＴの大きさより４倍大きい。ＳＴＡは、ＨＥ−ＳＩＧ  Ａ７３０を受信し、ＨＥ−ＳＩＧ  Ａ７３０に基づいてダウンリンクＰＰＤＵの受信指示を受けることができる。このような場合、ＳＴＡは、ＨＥ−ＳＴＦ７４０及びＨＥ−ＳＴＦ７４０以後のフィールドから変更されたＦＦＴサイズに基づいてデコーディングを実行することができる。それに対し、ＳＴＡがＨＥ−ＳＩＧ  Ａ７３０に基づいてダウンリンクＰＰＤＵの受信指示を受けていない場合、ＳＴＡは、デコーディングを中断し、ＮＡＶ（ｎｅｔｗｏｒｋ  ａｌｌｏｃａｔｉｏｎ  ｖｅｃｔｏｒ）を設定することができる。ＨＥ−ＳＴＦ７４０のＣＰ（ｃｙｃｌｉｃ  ｐｒｅｆｉｘ）は、他のフィールドのＣＰより大きい大きさを有することができ、このようなＣＰ区間の間に、ＳＴＡは、ＦＦＴサイズを変化させてダウンリンクＰＰＤＵに対するデコーディングを実行することができる。
【０１１６】
図７の上段で開示されたＰＰＤＵのフォーマットを構成するフィールドの順序は、変わることもある。例えば、図７の中段に開示されたように、ＨＥ部分のＨＥ−ＳＩＧ  Ｂ７１５がＨＥ−ＳＩＧ  Ａ７０５の直後に位置することもできる。ＳＴＡは、ＨＥ−ＳＩＧ  Ａ７０５及びＨＥ−ＳＩＧ  Ｂ７１５までデコーディングし、必要な制御情報を受信し、ＮＡＶを設定することができる。同様に、ＨＥ−ＳＴＦ７２５及びＨＥ−ＳＴＦ７２５以後のフィールドに適用されるＩＦＦＴの大きさは、ＨＥ−ＳＴＦ７２５以前のフィールドに適用されるＩＦＦＴの大きさと異なる。
【０１１７】
ＳＴＡは、ＨＥ−ＳＩＧ  Ａ７０５及びＨＥ−ＳＩＧ  Ｂ７１５を受信することができる。ＨＥ−ＳＩＧ  Ａ７０５のＳＴＡ識別子フィールドによりダウンリンクＰＰＤＵの受信が指示される場合、ＳＴＡは、ＨＥ−ＳＴＦ７２５からはＦＦＴサイズを変化させてダウンリンクＰＰＤＵに対するデコーディングを実行することができる。それに対し、ＳＴＡは、ＨＥ−ＳＩＧ  Ａ７０５を受信し、ＨＥ−ＳＩＧ  Ａ７０５に基づいてダウンリンクＰＰＤＵの受信が指示されない場合、ＮＡＶを設定することができる。
【０１１８】
図７の下段を参照すると、ＤＬ  ＭＵ送信のためのダウンリンクＰＰＤＵフォーマットが開示される。ダウンリンクＰＰＤＵは、互いに異なるダウンリンク送信リソース（周波数リソースまたは空間的ストリーム）を介してＳＴＡに送信されることができる。
【０１１９】
互いに異なる周波数リソースを介して複数のＳＴＡにダウンリンク送信が実行される場合、ダウンリンクＰＰＤＵ上でＨＥ−ＳＩＧ  Ｂ７４５以前のフィールドは、互いに異なるダウンリンク送信リソースの各々でデュプリケートされた形態で送信されることができる。ＨＥ−ＳＩＧ  Ｂ７４５は、全体送信リソース上でエンコーディングされた形態で送信されることができる。ＨＥ−ＳＩＧ  Ｂ７４５以後のフィールドは、ダウンリンクＰＰＤＵを受信する複数のＳＴＡの各々のための個別情報を含むことができる。
【０１２０】
ダウンリンクＰＰＤＵに含まれるフィールドがダウンリンク送信リソースの各々を介して各々送信される場合、フィールドの各々に対するＣＲＣがダウンリンクＰＰＤＵに含まれる。それに対し、ダウンリンクＰＰＤＵに含まれる特定フィールドが全体ダウンリンク送信リソース上でエンコーディングされて送信される場合、フィールドの各々に対するＣＲＣがダウンリンクＰＰＤＵに含まれない。したがって、ＣＲＣに対するオーバーヘッドが減少されることができる。即ち、本発明の実施例によるＤＬ  ＭＵ送信のためのダウンリンクＰＰＤＵフォーマットは、全体送信リソース上でエンコーディングされた形態のＨＥ−ＳＩＧ  Ｂ７４５を使用することによって、ダウンリンクフレームのＣＲＣオーバーヘッドを減少させることができる。
【０１２１】
例えば、ＡＰがＤＬ  ＭＵ  ＯＦＤＭＡ送信を介してダウンリンクＰＰＤＵを送信した場合を仮定することができる。一つのチャネル帯域幅が２０ＭＨｚの場合、ダウンリンクＰＰＤＵを受信したＳＴＡは、２０ＭＨｚを介して送信されるＨＥ−ＳＩＧ  Ａを受信後デコーディングしてダウンリンク送信リソースの割当を受けることができる。また、ＳＴＡは、８０ＭＨｚチャネルを介して送信されるＨＥ−ＳＩＧ  Ｂ７４５を受信及びデコーディングし、ＨＥ−ＳＩＧ  Ｂ７４５以後のフィールドからは割当を受けたダウンリンク送信リソースを介して送信されるダウンリンクＰＰＤＵを受信することができる。
【０１２２】
ＤＬ  ＭＵ送信のためのダウンリンクＰＰＤＵフォーマットも同様に、ＨＥ−ＳＴＦ７５５及びＨＥ−ＳＴＦ７５５以後のフィールドは、ＨＥ−ＳＴＦ７５５以前のフィールドと異なるＩＦＦＴサイズに基づいてエンコーディングされることができる。したがって、ＳＴＡは、ＨＥ−ＳＩＧ  Ａ７３５及びＨＥ−ＳＩＧ  Ｂ７４５を受信し、ＨＥ−ＳＩＧ  Ａ７３５に基づいてダウンリンクＰＰＤＵの受信指示を受けた場合、ＨＥ−ＳＴＦ７５５からはＦＦＴサイズを変化させてダウンリンクＰＰＤＵに対するデコーディングを実行することができる。
【０１２３】
図８は、本発明の実施例が適用されることができる無線装置を示すブロック図である。
【０１２４】
図８を参照すると、無線装置８００は、前述した実施例を実装することができるＳＴＡであり、ＡＰ８００または非ＡＰ  ＳＴＡ（ｎｏｎ−ＡＰ  ｓｔａｔｉｏｎ）（または、ＳＴＡ）８５０である。
【０１２５】
ＡＰ８００は、プロセッサ８１０、メモリ８２０及びＲＦ部（ｒａｄｉｏ  ｆｒｅｑｕｅｎｃｙ  ｕｎｉｔ）８３０を含む。
【０１２６】
ＲＦ部８３０は、プロセッサ８１０と連結して無線信号を送信／受信することができる。
【０１２７】
プロセッサ８１０は、本発明で提案された機能、過程及び／または方法を実装することができる。例えば、プロセッサ８１０は、前述した本発明の実施例によるＡＰの動作を実行するように実装されることができる。プロセッサは、図１乃至図７の実施例で開示したＡＰの動作を実行することができる。
【０１２８】
例えば、プロセッサ８１０は、ダウンリンクＰＰＤＵを重なる時間リソース上で複数のＳＴＡに送信し、ダウンリンクＰＰＤＵに対する応答として複数のＳＴＡの各々に対するアップリンク送信リソースの各々を介して重なる時間リソース上で複数のＳＴＡの各々からアップリンクフレームの各々を受信するように実装されることができる。前述したように、ダウンリンクＰＰＤＵは、ＳＴＡ識別子フィールド、リソース割当フィールド及びアップリンク送信ＴＸＯＰ（ｔｒａｎｓｍｉｓｓｉｏｎ  ｏｐｐｏｒｔｕｎｉｔｙ）デュレーションフィールドを含むことができる。ＳＴＡ識別子フィールドは、複数のＳＴＡに対する情報を含み、リソース割当フィールドは、アップリンク送信リソースの各々に対する情報を含み、アップリンク送信ＴＸＯＰデュレーションフィールドは、アップリンクフレームの各々の送信デュレーションを決定するための情報を含むことができる。
【０１２９】
ＳＴＡ８５０は、プロセッサ８６０、メモリ８７０及びＲＦ部（ｒａｄｉｏ  ｆｒｅｑｕｅｎｃｙ  ｕｎｉｔ）８８０を含む。
【０１３０】
ＲＦ部８８０は、プロセッサ８６０と連結して無線信号を送信／受信することができる。
【０１３１】
プロセッサ８６０は、本発明で提案された機能、過程及び／または方法を実装することができる。例えば、プロセッサ８２０は、前述した本発明の実施例によるＳＴＡの動作を実行するように実装されることができる。プロセッサは、図１乃至図７の実施例でＳＴＡの動作を実行することができる。
【０１３２】
例えば、プロセッサ８６０は、ＡＰからダウンリンクＰＰＤＵを受信し、ダウンリンクＰＰＤＵに含まれているＳＴＡ識別子フィールド、リソース割当フィールド及びアップリンク送信ＴＸＯＰ（ｔｒａｎｓｍｉｓｓｉｏｎ  ｏｐｐｏｒｔｕｎｉｔｙ）デュレーションフィールドに基づいて割り当てられたアップリンク送信リソースを介してアップリンクフレームを送信することができる。
【０１３３】
プロセッサ８１０、８６０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ８２０、８７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部８３０、８８０は、無線信号を送信及び／または受信する一つ以上のアンテナを含むことができる。
【０１３４】
実施例がソフトウェアで実装される時、前述した技法は、前述した機能を遂行するモジュール（過程、機能など）で実装されることができる。モジュールは、メモリ８２０、８７０に格納され、プロセッサ８１０、８６０により実行されることができる。メモリ８２０、１５７０は、プロセッサ８１０、８６０の内部または外部にあり、よく知られた多様な手段でプロセッサ８１０、８６０と連結されることができる。
【図１】
0006262852.tif 000003
【図２】
0006262852.tif 000004
【図３】
0006262852.tif 000005
【図４】
0006262852.tif 000006
【図５】
0006262852.tif 000007
【図６】
0006262852.tif 000008
【図７】
0006262852.tif 000009
【図８】
0006262852.tif 000010